(57)【要約】【課題】ユーザにより予め指定された論理外線ポートへの着信決定を柔軟に行うことができるようにすることにより、電話番号毎の同時通話数の制限等を可能とする。【解決手段】電話番号毎の着信先論理外線ポート登録はユーザインタフェース１００を経由してデータ記憶部１０１に保存される。ＬＡＮインタフェース１０２にてＳＩＰメッセージ（呼制御情報）を含んだＩＰパケットを受信した場合は、どの電話番号に対するメッセージかをＳＩＰメッセージ処理部１０３で解析する。解析結果から電話番号を取得し、呼制御部１０４がこの情報を元にデータ記憶部１０１を参照し、関連づけられている論理外線ポートを決定、指定された論理外線ポートへの着信処理を実行する。【選択図】図２
2006197296.tif 000002
【特許請求の範囲】
【請求項１】
ＩＰ網を介して音声情報を伝送するＩＰ電話システムにおいて着信側により受信されたＩＰパケットのＳＩＰメッセージから着信先番号を取得し着信先論理外線ポートを特定して着信処理を行う論理外線ポートを決定するＩＰ電話交換機であって、
電話番号とＩＤコードとを対応付けて記憶する電話番号登録テーブルと、論理外線ポートとＩＤコードとを対応付けて記憶する論理外線ポート登録テーブルと、各論理外線ポートが現在空き状態であるか通話中であるかを示す情報を記憶する論理外線ポート状態遷移テーブルとが格納されているデータ記憶部と、
ＬＡＮインタフェースにより受信されたＩＰパケットにＳＩＰメッセージが含まれていた場合、該ＳＩＰメッセージの解析を行ない、着信要求先の電話番号情報を取得するＳＩＰメッセージ処理部と、
前記ＳＩＰメッセージ処理部により取得された電話番号に基づいて、前記データ記憶部内の電話番号登録テーブルから対応するＩＤコードを検索し、検索したＩＤコードに基づいて前記論理外線ポート登録テーブルを検索することにより、取得された電話番号に対して設定されている論理外線ポートを検索し、前記論理外線ポート状態遷移テーブルを参照することにより、検索された論理外線ポートが空き状態であるか否かを順次確認し、検索された論理外線ポートが空き状態である場合には、該論理外線ポートへの着信処理を実行する呼制御部と、
を備えたＩＰ電話交換機。
【請求項２】
前記論理外線ポート登録テーブルでは、１つの論理外線ポートに対して複数のＩＤコードが対応付けて記憶されている請求項１記載のＩＰ電話交換機。
【請求項３】
ＩＰ網を介して音声情報を伝送するＩＰ電話システムにおいて着信側により受信されたＩＰパケットのＳＩＰメッセージから着信先番号を取得し着信先論理外線ポートを特定して着信処理を行う論理外線ポートを決定するＩＰ電話交換機の着信制御方法であって、
ＬＡＮインタフェースにより受信されたＩＰパケットにＳＩＰメッセージが含まれていた場合、該ＳＩＰメッセージの解析を行ない、着信要求先の電話番号情報を取得するステップと、
取得された前記電話番号に基づいて、電話番号とＩＤコードとが対応付けられて記憶されている電話番号登録テーブルから対応するＩＤコードを検索するステップと、
検索したＩＤコードに基づいて、論理外線ポートとＩＤコードとが対応付けられて記憶されている論理外線ポート登録テーブルを検索することにより、取得された電話番号に対して設定されている論理外線ポートを検索するステップと、
各論理外線ポートが現在空き状態であるか通話中であるかを示す情報が記憶されている論理外線ポート状態遷移テーブルを参照することにより、検索された論理外線ポートが空き状態であるか否かを順次確認し、検索された論理外線ポートが空き状態である場合には、該論理外線ポートへの着信処理を実行するステップと、
を備えたＩＰ電話交換機の着信制御方法。
【請求項４】
前記論理外線ポート登録テーブルでは、１つの論理外線ポートに対して複数のＩＤコードが対応付けて記憶されている請求項３記載のＩＰ電話交換機の着信制御方法。
【発明の詳細な説明】
【技術分野】
【０００１】
本発明は、ＩＰ（Internet Protocol）網を介して音声情報を伝送するＩＰ電話システムにおいて着信側により受信されたＩＰパケットのＳＩＰ（Session Initiation Protocol）メッセージから着信先番号を取得し着信先論理外線ポートを特定して着信処理を行う論理外線ポートを決定するＩＰ電話交換機およびその着信制御方法に関する。
【背景技術】
【０００２】
近年、ＩＰ網を介して音声情報を伝送するＩＰ電話システムが利用されるようになりつつある。ＩＰ電話システムを実現するためのプロトコルにはいくつかの仕様が存在するが、ＳＩＰ仕様のＩＰ電話サービスが、様々なサービス事業者により提供されている。
【０００３】
一般電話回線網を使用した従来の電話通信システムでは、１つの物理回線に対するチャネル数は１つであったが、ＩＰ電話システムでは、物理ポートと論理ポートが1対1とは限らないため、１つの物理的回線に対して、複数のチャネルを設定することが可能となる。ただし、１つの物理回線に対して設定することができるチャネル数は、ＩＰネットワークの使用可能通信帯域に依存することになる。
【０００４】
このようにＩＰ電話システムでは、１つの物理回線に対して複数のチャネルが設定されるため、着信側では受信されたＩＰパケットの着信先の電話機端末を特定して着信処理を行うＩＰ電話交換機が用いられている（例えば、特許文献１、２、３参照。）。このＩＰ電話交換機では、ＩＰで使用する複数の論理外線ポートが設けられていて、ＳＩＰメッセージ（呼制御情報）が含まれているＩＰパケットを受信した場合、このＩＰパケットのＳＩＰメッセージから着信先番号を取得し着信先論理外線ポートを特定して、あらかじめ指定された論理外線ポートへの着信処理を行う必要がある。
【０００５】
１つの電話番号に対して１つの論理外線ポートが設定されている場合には、ＩＰ電話交換機では着信要求があった電話番号に対応した論理外線ポートに対して着信処理を行えばよい。しかし、ＩＰ電話サービスでは、1つの電話番号に対する同時通話数（チャネル数）が複数の場合があり、また、１つの論理外線ポートにより複数の電話番号の呼を着信可能とするようなサービスが存在する。このようなサービスが行われている場合には、ユーザにより予め指定された着信制御を柔軟に行えるようにする必要がある。
【０００６】
特に、ＩＰ電話サービスに対応した機能を装備した企業向け交換機は多数のチャネルを収容する場合が多く、業務運用での利便性を考慮し、電話番号毎の指定された論理外線ポートへの着信先決定、ならびに電話番号毎の同時通話数を綿密に制御する必要がある。
【特許文献１】特開２００３−１８６２４号公報
【特許文献２】特開２００３−１５３３１６号公報
【特許文献３】特開２００４−１０４４８９号公報
【発明の開示】
【発明が解決しようとする課題】
【０００７】
上述した従来のＩＰ電話交換機では、１つの電話番号に対して通話可能な電話機端末の数である同時通話数の設定や電話番号毎に同時通話数を制限する等の着信制御を柔軟に設定することが困難であるという問題点があった。
【０００８】
本発明の目的は、ユーザにより予め指定された論理外線ポートへの着信決定を柔軟に行うことができるようにすることにより、電話番号毎の同時通話数の制限等を行うことができるＩＰ電話交換機およびその着信制御方法を提供することである。
【課題を解決するための手段】
【０００９】
上記目的を達成するために、本発明のＩＰ電話交換機は、ＩＰ網を介して音声情報を伝送するＩＰ電話システムにおいて着信側により受信されたＩＰパケットのＳＩＰメッセージから着信先番号を取得し着信先論理外線ポートを特定して着信処理を行う論理外線ポートを決定するＩＰ電話交換機であって、
電話番号とＩＤコードとを対応付けて記憶する電話番号登録テーブルと、論理外線ポートとＩＤコードとを対応付けて記憶する論理外線ポート登録テーブルと、各論理外線ポートが現在空き状態であるか通話中であるかを示す情報を記憶する論理外線ポート状態遷移テーブルとが格納されているデータ記憶部と、
ＬＡＮインタフェースにより受信されたＩＰパケットにＳＩＰメッセージが含まれていた場合、該ＳＩＰメッセージの解析を行ない、着信要求先の電話番号情報を取得するＳＩＰメッセージ処理部と、
前記ＳＩＰメッセージ処理部により取得された電話番号に基づいて、前記データ記憶部内の電話番号登録テーブルから対応するＩＤコードを検索し、検索したＩＤコードに基づいて前記論理外線ポート登録テーブルを検索することにより、取得された電話番号に対して設定されている論理外線ポートを検索し、前記論理外線ポート状態遷移テーブルを参照することにより、検索された論理外線ポートが空き状態であるか否かを順次確認し、検索された論理外線ポートが空き状態である場合には、該論理外線ポートへの着信処理を実行する呼制御部とを備えている。
【００１０】
本発明によれば、ユーザインタフェースにより登録変更可能な論理外線ポート毎の電話番号を関連づける論理外線ポート登録テーブルおよび電話番号登録テーブルをデータ記憶部内に保持しているため、呼制御部はこれらのテーブルを参照することにより、着信要求のあった電話番号に対して指定された論理外線ポートへの着信制御が可能となる。また、各電話番号毎に同時使用可能チャネル数を制限することが可能となる。
【００１１】
また、前記論理外線ポート登録テーブルにおいて、１つの論理外線ポートに対して複数のＩＤコードが対応付けて記憶するようにしてもよい。本発明によれば、ＩＤコードの組み合わせ方法により、より複雑な着信制御を柔軟に行うことが可能となる。
【発明の効果】
【００１２】
以上説明したように、本発明によれば、電話番号登録テーブルおよび論理外線ポート登録テーブルをデータ記憶部内に保持することにより、ユーザにより予め指定された論理外線ポートへの着信決定を柔軟に行うことが可能となり、電話番号毎の同時通話数の制限等の着信制御を行うことが可能になるという効果を得ることができる。
【発明を実施するための最良の形態】
【００１３】
次に、本発明の実施の形態について図面を参照して詳細に説明する。
【００１４】
（第１の実施形態）
図１は、発明の第１の実施形態におけるＩＰ電話システムの構成を示すシステム図である。
【００１５】
本実施形態のＩＰ電話システムは、ＩＰ網１０にＷＡＮを介して接続されたネットワーク機器１１と、このネットワーク機器１１とＬＡＮを介して接続されたＩＰ電話交換機１２と、このＩＰ電話交換機１２に接続された複数の電話機端末１３とから構成されている。
【００１６】
次に、図１中に示されたＩＰ電話交換機１２の構成を図２を参照して説明する。
【００１７】
本実施形態のＩＰ電話交換機１２は、図２に示されるように、ユーザインタフェース１００と、データ記憶部１０１と、ＬＡＮインタフェース１０２と、ＳＩＰメッセージ処理部１０３と、呼制御部１０４とから構成されている。
【００１８】
ＬＡＮインタフェース１０２は、ネットワーク機器１１を介してＩＰ網１０に接続されており、ＩＰパケットの送受信を行なう機能を備えている。
【００１９】
データ記憶部１０１は、電話番号とＩＤコードとを対応付けて記憶する電話番号登録テーブル２００と、論理外線ポートとＩＤコードとを対応付けて記憶する論理外線ポート登録テーブル２０１と、各論理外線ポートが現在空き状態であるか通話中であるかを示す情報を記憶する論理外線ポート状態遷移テーブル３００とが格納されている。
【００２０】
ＳＩＰメッセージ処理部１０３は、ＬＡＮインタフェース１０２により受信されたＩＰパケットにＳＩＰメッセージ（呼制御情報）が含まれていた場合、このＳＩＰメッセージの解析を行ない、着信要求先の電話番号情報を取得する。
【００２１】
ＳＩＰメッセージ処理部１０３が、受信されたＩＰパケットがＳＩＰメッセージであるか否かを判定する具体的な方法としは、下記のような方法が用いられる。
【００２２】
受信したＩＰパケットにはデータ通信を行う上で必要となる情報が含まれており、その中にはプロトコル毎に異なるポート番号という情報が含まれる。ＳＩＰプロトコルのポート番号は規定より「５０６０」を使用することとなっているため、ＩＰパケットのポート番号を参照し、ポート番号が「５０６０」であれば、ＳＩＰメッセージ処理部１０３は、受信されたＩＰパケットはＳＩＰメッセージと判断して解析を行なう。
【００２３】
ユーザインタフェース１００は、ユーザからの操作により、電話番号に対する論理外線ポートの登録をデータ記憶部１０１に対して設定する。ユーザインタフェース１００を介して電話番号と論理外線ポートとの対応を設定する方法としては、電話機端末１３から設定を入力する方法、Ｗｅｂブラウザを使用して入力する方法等がある。
【００２４】
電話機端末１３から設定を入力する方法としては、ＩＰ電話交換機１２にモジュラーコードで電話機端末１３を接続し、電話機端末１３のボタンを使用して入力を行なう方法が考えられる。この場合には、設定画面が電話機端末１３のＬＣＤに表示されるので、各設定項目に従って、設定入力を行なう。
【００２５】
また、Ｗｅｂブラウザを使用して入力する方法としては、ＩＰ電話交換機１２のＬＡＮインタフェースとＷｅｂブラウザを搭載しているＰＣ（パーソナルコンピュータ）とをＬＡＮインタフェースで接続してＩＰ通信できる状態にしてから、Ｗｅｂブラウザを使用して設定入力を行なう。この場合には、設定画面がＰＣのＷｅｂブラウザに表示されるので、各設定項目に従って、設定入力を行なう。
【００２６】
そして、ユーザデータ記憶部１０１には、ＩＤをキーとした電話番号登録テーブル２００、論理外線ポートをキーとした論理外線ポート登録テーブル２０１として保存される。
【００２７】
呼制御部１０４は、ＳＩＰメッセージ処理部１０３により取得された電話番号に基づいて、データ記憶部１０１内の電話番号登録テーブル２００から対応するＩＤコードを検索し、検索したＩＤコードに基づいて論理外線ポート登録テーブル２０１を検索することにおり、取得された電話番号に対して設定されている論理外線ポートを検索し、論理外線ポート状態遷移テーブル３００を参照することにより、検索された論理外線ポートが空き状態であるか否かを順次確認し、該論理外線ポートが空き状態である場合には、その論理外線ポートへの着信処理を実行する。
【００２８】
次に、図２〜図５を参照して本実施形態のＩＰ電話交換機１２の動作について詳細に説明する。
【００２９】
ユーザインタフェース１００によりデータ記憶部１０１にＩＤをキーとした電話番号登録テーブル２００、論理外線ポート登録テーブル２０１にデータを保存する。
【００３０】
ＩＰ電話サービスに接続されたＬＡＮインタフェース１０２より、ＳＩＰメッセージが含まれたＩＰパケットを受信した場合には、ＳＩＰメッセージ処理部１０３により受信されたＳＩＰメッセージの内容を解析し、詳細情報取得する（ステップ４０１）。
【００３１】
そのメッセージ内容から電話番号「２２２２」が取得された場合（ステップ４０２）、呼制御部１０４は、この電話番号をキーに電話番号登録テーブル２００を探索し、一致するＩＤコードを検索する（ステップ４０３）。
【００３２】
ここでは、検索の結果、一致したＩＤコードとして「２」が取得され（ステップ４０４）、呼制御部１０４は、このＩＤコードをキーに昇順または降順に論理外線ポート登録テーブル２０１を探索し（ステップ４０５）、一致する論理外線ポートを検索する。
【００３３】
一方、取得した電話番号が電話番号登録テーブル２００に登録されていない場合は、呼制御部１０４は、切断処理を実行する（ステップ４１０）。
【００３４】
検索の結果、一致した論理外線ポートとして「Ｌ３」が取得された場合（ステップ４０６）、呼制御部１０４は、論理外線ポート状態遷移テーブル３００を探索し（ステップ４０７）、その論理外線ポートが空き状態であれば（ステップ４０８）、着信先ポートとして論理外線ポート「Ｌ３」への着信処理を実行する（ステップ１０９）。
【００３５】
この方法により、ＩＰ電話交換機１２内部にて着信先となる論理外線ポートを決定することが可能となる。
【００３６】
ステップ４０８において論理外線ポート「Ｌ３」が使用中の場合には、再度、論理外線ポート登録テーブル２０１が探索され（ステップ４０５）、論理外線ポート「Ｌ４」が取得される（ステップ４０６）。その論理外線ポートが使用中でなければ（ステップ４０８）、着信先が決定され、呼制御部１０４は、論理外線ポート「Ｌ４」への着信処理を実行する（ステップ４０９）。
【００３７】
また、その論理外線ポートが使用中の場合には、再度、論理外線ポート登録テーブル２０１が探索されるが（ステップ１０５）、論理外線ポート「Ｌ３」、「Ｌ４」が使用中の場合は、一致する論理外線ポートがないと判断され（ステップ４０６）、切断処理を実行する（ステップ４１０）。
【００３８】
この方法により、電話番号毎の着信させるチャネル数を着信側であるＩＰ電話交換機１２において制限することが実現可能となる。
【００３９】
つまり、端末内部にて、電話番号「１１１１」に対しては、論理外線ポート「Ｌ１」「Ｌ２」への着信が可能となり、チャネル数を２に制限することができる。電話番号「２２２２」に対しては、論理外線ポート「Ｌ３」「Ｌ４」への着信が可能となり、チャネル数を２に制限することができる。
【００４０】
本実施形態のＩＰ電話交換機１２によれば、ユーザインタフェース１００により登録変更可能な論理外線ポート毎の電話番号を関連づける論理外線ポート登録テーブル２０１および電話番号登録テーブル２００をデータ記憶部１０１内に保持しているため、呼制御部１０４はこれらのテーブル２００、２０１を参照することにより、着信要求のあった電話番号に対して指定された論理外線ポートへの着信制御が可能となる。また、各電話番号毎に同時使用可能チャネル数を制限することが可能となる。この結果、電話システムとしての利便性を向上することができる。
【００４１】
（第２の実施形態）
次に、本発明の第２の実施形態について、図３および図６を参照して説明する。
【００４２】
図３および図６を参照すると、本実施形態では、図３に示した論理外線ポート登録テーブル２０１、電話番号登録テーブル２００の代わりに、図６に示す論理外線ポート登録テーブル５０１電話番号登録テーブル５００を用いる点が異なっている。なお、電話番号登録テーブル２００、５００は同じ内容のテーブルとなっている。つまり、本実施形態における論理外線ポート登録テーブル５０１では、１つの論理外線ポートに対して複数のＩＤコードが対応付けて記憶されている点が異なっている。
【００４３】
図６を参照すると、例えば、論理外線ポート「Ｌ１」においては、ＩＤ−ａとして「１」、ＩＤ−ｂとして「３」が対応付けられちるため、電話番号「１１１１」と「３３３３」に対して着信可能となる。
【００４４】
ＩＰ電話交換機１２内部の論理外線登録テーブルを拡張することにより、1つの論理外線ポートに対して、複数の電話番号での着信を受けることが実現できる。つまり、論理外線ポート登録テーブル５０１のように拡張をし、ＩＤコードの組み合わせ次第で、より綿密な着信制御を行なうことが可能となる。
【図面の簡単な説明】
【００４５】
【図１】本実施形態の第１の実施形態のＩＰ電話システムの構成を示すシステム図である。
【図２】本発明の第１の実施形態のＩＰ電話交換機１２の構成を示すブロック図である。
【図３】論理外線ポート登録テーブル２０１および電話番号登録テーブル２００の一例を示す図である。
【図４】論理外線ポート状態遷移テーブル３００の一例を示す図である。
【図５】図２のＩＰ電話交換機１２の動作を示すフローチャートである。
【図６】本発明の第２の実施形態のＩＰ電話システムにおける論理外線ポート登録テーブル５０１および電話番号登録テーブル５００の一例を示す図である。
【符号の説明】
【００４６】
１０    ＩＰ網
１１    ネットワーク機器
１２    ＩＰ電話交換機
１３    電話機端末
１００    ユーザインタフェース
１０１    データ記憶部
１０２    ＬＡＮインタフェース
１０３    ＳＩＰメッセージ処理部
１０４    呼制御部
２００    電話番号登録テーブル
２０１    論理外線ポート登録テーブル
３００    論理外線ポート状態遷移テーブル
４０１〜４１０    ステップ
５００    電話番号登録テーブル
５０１    論理外線ポート登録テーブル
【図１】
2006197296.tif 000003
【図２】
2006197296.tif 000004
【図３】
2006197296.tif 000005
【図４】
2006197296.tif 000006
【図５】
2006197296.tif 000007
【図６】
2006197296.tif 000008